(57)【要約】【課題】ティーを見ただけでプレイヤーがティーショットの善し悪しを判断することを可能とする。【解決手段】ステム状の本体部３の端部にボールを乗せるヘッド５を備えたゴルフティー１において、本体部３の中間部を分割して差込側部１１及びヘッド側部１３とし且つ軸２７支持により差込側部１１及びヘッド側部１３を相互に回転可能に結合した折れ許容部１５を設け、折れ許容部１５の折れ動作前の姿勢を保持させると共に一定以上の荷重で同折れ動作を許容する姿勢保持機能部１７を設けたこと特徴とする。【選択図】図６
0003132399.tif 000002
【実用新案登録請求の範囲】
【請求項１】
ステム状の本体部の端部にボールを乗せるヘッドを備えたゴルフティーにおいて、
前記本体部の中間部を分割して差込側部及びヘッド側部とし且つ軸支持により差込側部及びヘッド側部を相互に回転可能に結合した折れ許容部を設け、
前記折れ許容部の折れ動作前の姿勢を保持させると共に一定以上の荷重で同折れ動作を許容する姿勢保持機能部を設けた、
ことを特徴とするゴルフティー。
【請求項２】
請求項１記載のゴルフティーであって、
前記折れ許容部は、前記差込側部の端部に設けた平板状部及び前記ヘッド側部の端部に設けられ前記平板状部に嵌合する溝状部を備え、
前記平板状部及び溝状部の対向する側壁に、相互に嵌合して回転を許容する軸部及び嵌合孔を各別に設け、
前記姿勢保持機能部は、前記平板状部及び溝状部の側壁を摩擦係合させてなる、
ことを特徴とするゴルフティー。
【考案の詳細な説明】
【技術分野】
【０００１】
本考案は、ゴルフのスイング矯正等に供されるゴルフティーに関する。
【背景技術】
【０００２】
従来のゴルフティーとしては、例えば特許文献１に記載されたようなものがある。
【０００３】
このゴルフティーは、インパクト分配溝等を有した構造であるが、ティーショットの善し悪しに係わらずゴルフティーがティーグランドから抜けて飛散したり、そのまま残ることもある。
【０００４】
このため、ティーショット後にゴルフティーを見ただけではプレイヤーがティーショットの善し悪しを判断することはできなかった。
【０００５】
【特許文献１】特表２００５−５２８１５０号公報参照
【考案の開示】
【考案が解決しようとする課題】
【０００６】
解決しようとする問題点は、ティーを見ただけではプレイヤーがティーショットの善し悪しを判断することができなかった点である。
【課題を解決するための手段】
【０００７】
本考案は、ティーを見ただけでプレイヤーがティーショットの善し悪しを判断することができるようにするため、ステム状の本体部の端部にボールを乗せるヘッドを備えたゴルフティーにおいて、前記本体部の中間部を分割して差込側部及びヘッド側部とし且つ軸支持により差込側部及びヘッド側部を相互に回転可能に結合した折れ許容部を設け、前記折れ許容部の折れ動作前の姿勢を保持させると共に一定以上の荷重で同折れ動作を許容する姿勢保持機能部を設けたことを最も主要な特徴とする。
【考案の効果】
【０００８】
本考案は、ステム状の本体部の端部にボールを乗せるヘッドを備えたゴルフティーにおいて、前記本体部の中間部を分割して差込側部及びヘッド側部とし且つ軸支持により差込側部及びヘッド側部を相互に回転可能に結合した折れ許容部を設け、前記折れ許容部の折れ動作前の姿勢を保持させると共に一定以上の荷重で同折れ動作を許容する姿勢保持機能部を設けたため、ティーショットの善し悪しを、折れ許容部の折れ動作を起こすか、ティーがティーグランドから抜け出て飛散するかで、プレイヤー自ら判断することができる。
【考案を実施するための最良の形態】
【０００９】
ティーを見ただけでプレイヤーがティーショットの善し悪しを判断することができるようにするという目的を、折れ許容部及び姿勢保持機能部により実現した。
【実施例１】
【００１０】
図１は、本考案を適用した実施例１にかかるゴルフティーの正面図、図２は、同平面図、図３は、同分解図、図４は、ヘッド側部の側面図、図５は、差込側部の拡大平面図である。
【００１１】
図１〜図５のように、ゴルフティー１は、ステム状の本体部３及びボールを乗せるヘッド５を備えている。
【００１２】
本体部３は、断面円形に形成され、ヘッド５側から先端７側へ漸次細くなる差し込み形状に形成されている。ヘッド５は、本体部３の端部に形成され、ボールを乗せるための球状凹部９が形成されている。
【００１３】
本体部３は、中間部で分割され、差込側部１１及びヘッド側部１３の２部材構成となっている。差込側部１１及びヘッド側部１３は、折れ許容部１５の軸支持により相互に回転可能に結合されている。折れ許容部１５には、姿勢保持機能部１７が設けられている。姿勢保持機能部１７は、折れ許容部１５の折れ動作前の姿勢を保持させると共に一定以上の荷重で同折れ動作を許容する。
【００１４】
折れ許容部１５は、平板状部１９及び溝状部２１を備えている。平板状部１９は、差込側部１１の端部に設けられ、溝状部２１は、ヘッド側部１３の端部に設けられている。平板状部１９をヘッド側部１３に設け、溝状部２１を差込側部１１に設けることもできる。
【００１５】
平板状部１９及び溝状部２１の対向する側壁２３，２５に、相互に嵌合して回転を許容する軸部２７及び嵌合孔２９が各別に設けられている。軸部２７は、平板状部１９の両側壁２３に形成され、嵌合孔２９は、溝状部２１の両側壁２５に形成されている。なお、軸部２７を溝状部２１側に設け、嵌合穴２９を平板状部１９側に設けることもできる。
【００１６】
平板状部１９が溝状部２１に嵌合配置されると共に、軸部２７が嵌合穴２９に嵌合し、折れ許容部１５の軸支持による折れ動作を可能とする。
【００１７】
姿勢保持機能部１７は、平板状部１９及び溝状部２１の側壁２３，２５を摩擦係合させてなる。この摩擦係合により、折れ許容部１５の折れ動作前の姿勢を保持させると共に一定以上の荷重で同折れ動作を許容する。
【００１８】
使用に際しては、図１の状態にあるゴルフティー１の本体部３をティーグランドに差し込む。折れ許容部１５は、地上に出るが、地中に入れ込むことも許容される。
【００１９】
折れ許容部１５の軸支持による折れ動作の方向は、正しいティーショット方向に向けられる。図１のような起立姿勢は、平板状部１９及び溝状部２１の側壁２３，２５が、姿勢保持機能部１７として摩擦係合することで維持される。
【００２０】
この状態でプレイヤーがティーショットを行ない、インパクト時にドライバーのフェースが正しいティーショットの方向に向いていれば、軸部２７の軸中心にほぼ直交する方向からドライバーのフェースが正しく当たりゴルフティー１のヘッド側部１３に力が働く。このため、図６のように、ヘッド側部１３が差込側部１１に対し、軸部２７を中心に回動し、折れ許容部１５が折れ動作する。
【００２１】
ドライバーのスイングが正しくなく、フェースの向きが正しいティーショットの方向からずれていれば、ヘッド側部１３へのインパクト力が軸部２７及び嵌合穴２９、側壁２３，２５を介して差込側部１１へ伝達される。
【００２２】
この力の伝達によりゴルフティー１は、ティーグランドＧから抜け出て飛散する。
【００２３】
このように、ドライバーのスイングが正しければゴルフティー１は、折れた状態でティーグランドに残り、同正しくなければ、飛散するため、ドライバーのスイングの善し悪しを、ゴルフティー１の状態をプレイヤー自身が確認するだけで、判断することができる。
【００２４】
この判断により、スイングの矯正を的確に行わせることができる。
【００２５】
ゴルフティー１は、姿勢保持機能部１７により、通常のゴルフティーとしての姿勢を保持させるから、スイングの矯正以外にも、そのまま通常のゴルフティーとして使用することができる。
【００２６】
［実施例の効果］
本考案の実施例では、ステム状の本体部３の端部にボールを乗せるヘッド５を備えたゴルフティー１において、前記本体部３の中間部を分割して差込側部１１及びヘッド側部１３とし且つ軸２７支持により差込側部１１及びヘッド側部１３を相互に回転可能に結合した折れ許容部１５を設け、前記折れ許容部１５の折れ動作前の姿勢を保持させると共に一定以上の荷重で同折れ動作を許容する姿勢保持機能部１７を設けたため、ティーショットの善し悪しを、折れ許容部１５の折れ動作を起こすか、ゴルフティー１がティーグランドＧから抜け出て飛散するかで、プレイヤー自ら簡単に判断することができる。
【００２７】
なお、姿勢保持機能部１７としては、側壁２３，２５の摩擦係合以外にも、差込側部１１及びヘッド側部１３の端面間の摩擦係合とすることも可能である。この場合、端面の少なくとも何れかを回転方向にＲ形状とする。摩擦係合以外にも、差込側部１１又はヘッド側部１３の一方に、変形可能な弾性片部を設け、この弾性片部を他方に係合させることで、姿勢保持を行わせることも可能である。
【図面の簡単な説明】
【００２８】
【図１】ゴルフティーの正面図である（実施例１）。
【図２】ゴルフティーの平面図である（実施例１）。
【図３】ゴルフティーの分解図である（実施例１）。
【図４】ヘッド側部の側面図である（実施例１）。
【図５】差込側部の拡大平面図である（実施例１）。
【図６】ゴルフティーの折れ動作を示す側面図である（実施例１）。
【００２９】
１  ゴルフティー
３  本体部
５  ヘッド
１１  差込側部
１３  ヘッド側部
１５  折れ許容部
１７  姿勢保持機能部
１９  平板状部
２１  溝状部
２３，２５  側壁部
２７  軸部
２９  嵌合穴
【図１】
0003132399.tif 000003
【図２】
0003132399.tif 000004
【図３】
0003132399.tif 000005
【図４】
0003132399.tif 000006
【図５】
0003132399.tif 000007
【図６】
0003132399.tif 000008